(57)【要約】【課題】無線ＬＡＮの電波を送受信する際の感度を高感度に維持させることができる撮像装置を提供する。【解決手段】筐体１００の内部には、無線ＬＡＮ通信部が設けられている。グリップベルト５１及びグリップベルトパッド５３を含むグリップベルト部材は、筐体１００の外面との間に筐体１００を握る手を挿入させる空間部を形成するように筐体１００に取り付けられている。無線ＬＡＮ通信用のアンテナ６２は、無線ＬＡＮ通信部と接続され、グリップベルト部材に収納されている。【選択図】図１
2014123877.tif 000002
【特許請求の範囲】
【請求項１】
筐体と、
前記筐体内部に設けられた無線ＬＡＮ通信部と、
前記筐体の外部に位置し、前記筐体の外面との間に前記筐体を握る手を挿入させる空間部を形成するように前記筐体に取り付けられたグリップベルト部材と、
前記無線ＬＡＮ通信部と接続され、前記グリップベルト部材に収納された無線ＬＡＮ通信用のアンテナと、
を備えることを特徴とする撮像装置。
【請求項２】
前記グリップベルト部材は、
前記筐体の後端部と前端部とを掛け渡すように配置されたグリップベルトと、
前記グリップベルトに装着されたグリップベルトパッドと、
を有し、
前記アンテナは、前記グリップベルトパッドに挟まれた状態で前記グリップベルト部材に収納されている
ことを特徴とする請求項１記載の撮像装置。
【請求項３】
前記グリップベルトパッドの内面は面ファスナーを構成するパイル状の第１の起毛面とフック状の第２の起毛面とのうちのいずれか一方となっており、
前記グリップベルトパッドの内面上には、前記第１の起毛面と前記第２の起毛面とのうちの他方となっている布が装着されており、
前記アンテナは、前記グリップベルトパッドと前記布との間に収納されている
ことを特徴とする請求項２記載の撮像装置。
【請求項４】
前記布には切れ目が形成されており、
前記アンテナは、前記切れ目より前記グリップベルトパッドと前記布との間へと挿入されている
ことを特徴とする請求項３記載の撮像装置。
【発明の詳細な説明】
【技術分野】
【０００１】
本発明は、無線ＬＡＮによる通信機能を有する撮像装置に関する。
【背景技術】
【０００２】
近年、無線ＬＡＮによる通信機能を搭載して、無線ＬＡＮを介してインターネットに接続することができる電子機器が急速に普及している。無線ＬＡＮによる通信機能を搭載した複数の電子機器は、無線ＬＡＮを介して相互に通信することもできる。
【０００３】
IEEE802.11規格の無線ＬＡＮであり、Wi-Fi Allianceによって認証された無線ＬＡＮはWi-Fi（商標）と称されており、Wi-Fiは無線ＬＡＮの主流となっている。以下、Wi-Fiを無線ＬＡＮの例とする。
【０００４】
デジタルビデオカメラやデジタルスチルカメラである撮像装置においても、Wi-Fiによる通信機能を搭載したものが登場している。Wi-Fiによる通信機能を搭載した撮像装置は、撮像した画像データ等を、Wi-Fiを介してインターネットに接続されたサーバや他の電子機器に送信することができる。また、Wi-Fiによる通信機能を搭載した撮像装置に対して、外部からWi-Fiを介して撮像装置を制御するための制御データを送信して、撮像装置を制御することもできる。
【先行技術文献】
【特許文献】
【０００５】
【特許文献１】特開２０１２−１８６５１８号公報
【発明の概要】
【発明が解決しようとする課題】
【０００６】
Wi-Fiを介してデータを送受信するためには、Wi-Fiの電波を送受信するアンテナが必要である。一般的に、アンテナは、電子機器の筐体内部の所定位置に取り付けられる。電子機器の筐体内部には各種の電子部品や構造物が存在している。アンテナの周囲に位置する部品がWi-Fiの電波に影響を与えて、電波を送受信する際の感度を悪くする場合がある。特に金属部品はWi-Fiの電波に悪影響を与えやすい。
【０００７】
デジタルビデオカメラやデジタルスチルカメラは小型化が一段と進んでいることから、筐体内部のアンテナと周囲に位置する部品との距離が近接してしまう。従って、Wi-Fiの電波の感度が悪くなりやすい。
【０００８】
本発明はこのような問題点に鑑み、無線ＬＡＮの電波を送受信する際の感度を高感度に維持させることができる撮像装置を提供することを目的とする。
【課題を解決するための手段】
【０００９】
本発明は、上述した従来の技術の課題を解決するため、筐体（１００）と、前記筐体内部に設けられた無線ＬＡＮ通信部（１６）と、前記筐体の外部に位置し、前記筐体の外面との間に前記筐体を握る手を挿入させる空間部を形成するように前記筐体に取り付けられたグリップベルト部材（５１，５３，５４）と、前記無線ＬＡＮ通信部と接続され、前記グリップベルト部材に収納された無線ＬＡＮ通信用のアンテナ（６２）とを備えることを特徴とする撮像装置を提供する。
【発明の効果】
【００１０】
本発明の撮像装置によれば、無線ＬＡＮの電波を送受信する際の感度を高感度に維持させることができる。
【図面の簡単な説明】
【００１１】
【図１】一実施形態の撮像装置の外観斜視図である。
【図２】一実施形態の撮像装置を手で握って使用している状態を示す斜視図である。
【図３】一実施形態の撮像装置の概略的な内部構成例を示すブロック図である。
【図４】図１に示す撮像装置のグリップベルトパッドを開いた状態を筐体の側面側から見た部分平面図である。
【図５】図１に示す撮像装置のグリップベルトパッドを開いた状態を筐体の前端部側から見た部分斜視図である。
【図６】図４の状態からグリップベルトの前部をグリップベルトパッドから外した状態を示す部分平面図である。
【図７】無線ＬＡＮ通信用のアンテナをグリップベルト部材に収納する前の状態を示す部分平面図である。
【発明を実施するための形態】
【００１２】
以下、一実施形態の撮像装置について、添付図面を参照して説明する。一実施形態の撮像装置は、動画像を撮像するデジタルビデオカメラを例とする。撮像装置は、静止画像を撮像するデジタルスチルカメラであってもよい。
【００１３】
図１において、一実施形態の撮像装置は、筐体１００と、筐体１００の一方の側面に装着された液晶モニタ２００とを備える。液晶モニタ２００は、筐体１００に対してヒンジ機構を介して接続されている。図１は、後述する液晶表示部２０（図３参照）を筐体１００側に向けて、液晶モニタ２００を閉じた状態を示している。液晶モニタ２００は、ヒンジ機構によって開くことができ、液晶表示部２０を筐体１００とは反対側に向けた状態とすることもできる。
【００１４】
筐体１００の後端部には、撮像装置に電力を供給するバッテリ３００が装着されている。バッテリ３００は、筐体１００に対して着脱自在である。
【００１５】
液晶モニタ２００を装着した側とは反対側の筐体１００の側面パネル１０１には、グリップベルト部材が取り付けられている。グリップベルト部材は、グリップベルト５１（図４〜図７参照），グリップベルトパッド５３，カバー５５等を有する。グリップベルトパッド５３は中間部で折り曲げられている。
【００１６】
グリップベルト部材は筐体１００の外部に位置し、筐体１００の外面とグリップベルト部材との間に筐体１００を握る手を挿入させる空間部を形成している。
【００１７】
本実施形態においては、グリップベルト５１とグリップベルトパッド５３とを一体化している。グリップベルトパッド５３をグリップベルト５１に対して着脱自在としてもよい。また、グリップベルト５１自体を部分的に幅広にして、グリップベルトパッド５３を省略した構成としてもよい。
【００１８】
グリップベルト５１自体またはグリップベルト５１とグリップベルトパッド５３との組み合わせのように、ユーザが筐体１００の側面パネル１０１側を手で握って使用する際に、手の甲に近接または接触して撮像装置の不用意な落下を防止するための部分を、グリップベルト部材と称することとする。
【００１９】
図１に示すように、グリップベルト部材の内部には、Wi-Fiの電波を送受信するためのアンテナ６２が装着されている。本実施形態においては、アンテナ６２は、グリップベルト部材の内部に収納されている。アンテナ６２をグリップベルト部材の内部に収納する具体的な構成については後に詳述する。
【００２０】
図２は、側面パネル１０１とグリップベルトパッド５３との間の空間部に手を挿入させて筐体１００を手で握って、撮像装置を使用している状態を示している。後述するように、側面パネル１０１とグリップベルトパッド５３との間隔を調整することができる。側面パネル１０１とグリップベルトパッド５３との間隔を手に合わせて調整することによって、安定した状態で被写体を撮像することができる。
【００２１】
図３を用いて、撮像装置の概略的な内部構成について説明する。図３において、撮像部１０は、いずれも図示していないレンズ，絞り，撮像素子等を有する。撮像部１０は被写体を撮像してアナログ画像信号を生成する。映像信号処理部１１は、撮像部１０より出力されたアナログ画像信号をデジタル画像データに変換し、所定の信号処理を施して出力する。
【００２２】
圧縮伸張処理部１２は、映像信号処理部１１より出力されたデジタル画像データを圧縮して、圧縮画像データとする。記録再生部１３は、圧縮伸張処理部１２より出力された圧縮画像データを記録する。圧縮伸張処理部１２は、記録再生部１３より再生された圧縮画像データを伸張する。
【００２３】
記録再生部１３は、半導体メモリ等の任意の記録媒体と、記録媒体に対して圧縮画像データを書き込み、記録媒体から圧縮画像データを読み出すよう駆動する書き込み・読み出し駆動部とを含む。記録再生部１３における記録媒体は、メモリカードのように着脱自在であってもよく、筐体１００内に固定されていてもよい。
【００２４】
映像信号処理部１１，圧縮伸張処理部１２，記録再生部１３は、バス１４に接続されている。バス１４には、各部を制御する制御部１５が接続されている。制御部１５は、バス１４を介して、映像信号処理部１１，圧縮伸張処理部１２，記録再生部１３それぞれを制御する。制御部１５は、撮像部１０を制御して、ズームや絞り等を制御する。制御部１５は、マイクロコンピュータであってもよい。
【００２５】
バス１４には、さらに、無線ＬＡＮ通信部１６と表示駆動部１７が接続されている。制御部１５は、バス１４を介して、無線ＬＡＮ通信部１６及び表示駆動部１７も制御する。
【００２６】
無線ＬＡＮ通信部１６には、Wi-Fiの電波を送受信するためのアンテナ６２が接続されている。無線ＬＡＮ通信部１６は、撮像した画像データ等を、アンテナ６２を介してインターネットに接続されたサーバや他の電子機器に送信する。なお、この場合、圧縮伸張処理部１２は、必要に応じて、Wi-Fiを介して画像データ等を送信するのに適したフォーマットに変換する。
【００２７】
無線ＬＡＮ通信部１６は、アンテナ６２を介して撮像装置を制御するための制御データを受信した場合には、制御データを制御部１５へと供給する。制御部１５は、制御データに基づいて撮像装置を制御する。
【００２８】
図３より分かるように、アンテナ６２は、アンテナ６２に接続されたアンテナケーブル（ここでは図示せず）を筐体１００の外部から内部へと引き込むか、内部から外部へと引き出すことによって、筐体１００の外部に配置されている。
【００２９】
液晶モニタ２００は、液晶表示部２０を備える。撮像部１０によって撮像された画像データや、記録再生部１３より再生されて圧縮伸張処理部１２によって伸張された画像データは、表示駆動部１７による駆動によって液晶表示部２０に表示される。
【００３０】
図３は、撮像装置内部の概略的な一構成例を示しており、撮像装置の内部構成は適宜変更可能である。撮像装置の内部構成は、図３に示す構成に限定されない。
【００３１】
図４〜図６を用いて、本実施形態の撮像装置におけるグリップベルト部材の具体的な構成について説明する。図４〜図６は、筐体１００から側面パネル１０１を取り外して、側面パネル１０１とアンテナ６２を収納するグリップベルト部材のみを示している。図４〜図６は、グリップベルトパッド５３を開いた状態を示している。
【００３２】
図４，図５において、グリップベルト５１の一方の端部（根元部）は、側面パネル１０１に形成された後端部側の開口部に通されて、側面パネル１０１の裏面に係合されている。グリップベルト５１の他方の端部（先端部）は、略矩形状の連結リング５６に通されて、根元部側へと折り返されている。
【００３３】
図５に示すように、連結リング５６の側面パネル１０１側には、連結リング５６と側面パネル１０１とを連結するための連結部材５７が通されている。連結部材５７は、グリップベルト５１と同一素材でよく、グリップベルト５１を短く切断したような形状である。連結部材５７は、側面パネル１０１に形成された前端部側の開口部に通されて、側面パネル１０１の裏面に係合されている。
【００３４】
よって、図４，図５の状態において、連結リング５６を介して繋がったグリップベルト５１と連結部材５７とは、側面パネル１０１の後端部と前端部とを繋ぐように掛け渡されている。
【００３５】
グリップベルトパッド５３の内面はいわゆる面ファスナーとなっている。グリップベルトパッド５３の内面は、ほぼ全体が面ファスナーのパイル状（ループ状）の起毛面５３１となっている。グリップベルトパッド５３の下側の部分には、表面に面ファスナーのフック状の起毛面が形成されたフック布５４が縫い付けられている。フック布５４もグリップベルト部材の一部を構成する。
【００３６】
グリップベルトパッド５３の内面上にグリップベルト５１が配置されて、フック布５４がグリップベルト５１を覆っている。グリップベルト５１は、フック布５４の上端部に沿うように配置されている。フック布５４とグリップベルト５１とを重ねた状態でフック布５４をグリップベルトパッド５３の内面に縫い付けているので、グリップベルト５１とグリップベルトパッド５３とフック布５４は互いに固定されている。
【００３７】
図６に示すように、グリップベルト５１の先端側の所定の範囲には、表面にパイル状の起毛面が形成されたパイル布５２が縫い付けられている。よって、連結リング５６で筐体１００後端部へと折り返したグリップベルト５１の前部を、図４，図５に示すようにフック布５４に貼り付けることができる。グリップベルト５１の先端部を筐体１００後端部側へと引っ張る程度を調整することによって、側面パネル１０１とグリップベルトパッド５３との間隔を調整することができる。
【００３８】
パイル布５２の筐体１００の後端部側の端部は、連結リング５６からの不用意な抜けを防止するために、グリップベルト５１の幅のよりも幅広となっている。
【００３９】
グリップベルト５１の前部をフック布５４に貼り付けて、グリップベルトパッド５３の上側の部分を下方に折り返して、起毛面５３１をフック布５４に貼り付けると、図１に示す状態となる。図１の状態で、グリップベルトパッド５３はグリップベルト５１を挟んでいる。
【００４０】
本実施形態では、グリップベルトパッド５３の内面をパイル状の起毛面５３１とし、グリップベルトパッド５３の下側の部分にフック布５４を装着しているが、パイル状の起毛面とフック状の起毛面との関係を逆にしてもよい。パイル状の起毛面とフック状の起毛面との関係を逆にした場合には、グリップベルト５１にはフック布を装着する。
【００４１】
面ファスナーの構成は種々あり、面ファスナーの構成は本実施形態で示す構成に限定されるものではない。
【００４２】
図４〜図７を用いて、アンテナ６２がグリップベルト部材の内部にどのように収納されているかについて説明する。図４，図６において、アンテナ６２に接続されたアンテナケーブル６１は、側面パネル１０１の後端部側に形成されたアンテナケーブル６１挿通用の開口部に通されて、筐体１００の内部へと侵入して、無線ＬＡＮ通信部１６に接続されている。
【００４３】
アンテナケーブル６１の側面パネル１０１とグリップベルトパッド５３との間の部分は、布製のカバー５５によって覆われている。カバー５５はグリップベルト５１に縫い付けられている。
【００４４】
ここでは、アンテナケーブル６１とアンテナ６２とが一体的に形成されているので、アンテナケーブル６１をアンテナケーブル６１挿通用の開口部より筐体１００の内部へと引き込んでいる。アンテナケーブル６１とアンテナ６２とが別体の場合には、アンテナケーブル６１を筐体１００の内部からアンテナケーブル６１挿通用の開口部より外部へと引き出してもよい。
【００４５】
図４〜図７に示すように、フック布５４には切れ目５４ｉが形成されている。図７に示すように筐体１００の外部に位置しているアンテナ６２を、切れ目５４ｉよりグリップベルトパッド５３とフック布５４との間に挿入させると、図４〜図６に示すように、アンテナ６２がグリップベルト部材の内部に収納された状態となる。
【００４６】
以上説明したように、本実施形態によれば、Wi-Fi通信用のアンテナ６２が筐体１００の内部ではなく外部に配置されているため、筐体１００の内部の部品が電波に影響を与えて、電波を送受信する際の感度を悪くすることはない。本実施形態によれば、無線ＬＡＮの電波を高感度に維持させることができる。
【００４７】
側面パネル１０１とグリップベルトパッド５３との間の空間部に手を挿入して筐体１００を握ると、手とアンテナ６２の内面側とが接近する。一般的に人の体は電波の感度に影響を与えやすい。しかしながら、アンテナ６２の外面側は開放された空間に向かっているため、筐体１００を手で握っても、電波の感度にほとんど影響を与えることがない。
【００４８】
本実施形態によるアンテナ６２の収納構造は、電波を送受信する際の感度を向上させるのに極めて好適な構造である。しかも、本実施形態によれば、アンテナ６２を筐体１００の内部に配置する必要がないので、筐体１００内部のスペース効率を向上させることもできる。
【００４９】
本発明は以上説明した本実施形態に限定されるものではなく、本発明の要旨を逸脱しない範囲において種々変更可能である。本実施形態では、グリップベルトパッド５３にグリップベルト５１及びフック布５４を縫い付けることによってグリップベルト５１とグリップベルトパッド５３とフック布５４は互いに固定しているが、固定方法は任意である。前述のように、グリップベルト部材の構成も任意である。無線ＬＡＮはWi-Fiに限定されず、無線ＬＡＮの規格も任意である。
【００５０】
本実施形態では、デジタルビデオカメラまたはデジタルスチルカメラである撮像装置を例に説明したが、上述した無線ＬＡＮ通信用のアンテナの収納構造を撮像装置以外の電子機器に応用することも可能である。筐体内部に無線ＬＡＮ通信部を備え、無線ＬＡＮ通信部と接続されたアンテナとグリップベルト部材とを有する電子機器であれば、上述したアンテナの収納構造を採用することができる。
【符号の説明】
【００５１】
１６  無線ＬＡＮ通信部
５１  グリップベルト（グリップベルト部材）
５３  グリップベルトパッド（グリップベルト部材）
５４  フック布５４（グリップベルト部材）
５４ｉ  切れ目
６２  アンテナ
５３１  起毛面
【図１】
2014123877.tif 000003
【図２】
2014123877.tif 000004
【図３】
2014123877.tif 000005
【図４】
2014123877.tif 000006
【図５】
2014123877.tif 000007
【図６】
2014123877.tif 000008
【図７】
2014123877.tif 000009